(57)【要約】【課題】浴槽に出入りする際の跨ぎ高さが高くなることなく、浴槽内の水位に応じて高さを可変にして、肩まで浸かる入浴を可能にすることができる高さ可変浴槽を提供する。【解決手段】前面以外の各側面が浴室壁４と水密的に接している浴槽１と、浴槽１の前面側に上端が浴槽１の上方へ突出するように上下動自在に配置され、背面が浴槽１の前面と水密的に接していると共に両側端部が浴室壁４に水密的に接している可動堰２と、可動堰２に取り付けられ、浴槽１内の湯の水位に応じて上下動するフロート３とを具える。【選択図】図１
2008237599.tif 000002
【特許請求の範囲】
【請求項１】
前面以外の各側面が浴室壁と水密的に接している浴槽と、浴槽の前面側に上端が浴槽の上方へ突出するように上下動自在に配置され、背面が浴槽の前面と水密的に接していると共に両側端部が浴室壁に水密的に接している可動堰と、可動堰に取り付けられ、浴槽内の湯の水位に応じて上下動するフロートとを具備して成ることを特徴とする高さ可変浴槽。
【請求項２】
浴槽に設けたパッキンによって可動堰の背面が浴槽の前面に水密的に接していると共に浴室壁に設けたパッキンによって可動堰の両側端部が浴室壁に水密的に接していることを特徴とする請求項１に記載の高さ可変浴槽。
【請求項３】
浴室壁に設けたレールによって可動堰が上下動自在になっていることを特徴とする請求項１又は２に記載の高さ可変浴槽。
【発明の詳細な説明】
【技術分野】
【０００１】
本発明は、浴槽内の水位に応じて高さを変えることができる高さ可変浴槽に関するものである。
【背景技術】
【０００２】
深さが浅い浴槽では、浴槽内の湯に肩まで浸かると、湯の水位が上昇して浴槽から湯が溢れてしまい、快適な入浴を行なうことができない。一方、入浴感を高めるために、浴槽内の湯に肩まで浸かることができるようにすると、浴槽の深さを深くする必要があり、この場合には浴槽の高さが高くなって、浴槽に出入りする際の跨ぎ高さが高くなる。そしてこのように跨ぎ高さが高くなると、高齢者などにとっては危険な場合もある。
【０００３】
そこで、浴槽に出入りする際には浴槽の高さは低いが、浴槽に入って、湯に浸かった際には浴槽の高さが高くなり、肩まで湯に浸かることができるようにした高さ可変浴槽が提案されている。
【０００４】
図４はその一例を示すものであり、浴槽１の上面の開口の全周に、蛇腹筒状の上下に伸縮自在なベロー部１１を取り付け、ベロー部１１の上端の内側にフロート１２を設けるようにしたものである（特許文献１参照）。
【０００５】
そしてこのものでは、浴槽１に出入りするときには、ベロー部１１は縮んでいるので、浴槽１の下端からベロー部１１の上端までの高さはあまり高くなく、跨ぎ高さもあまり高くならないが、浴槽１に入って体を湯に浸けると、体の容積によって湯の水位が上がり、この湯の水位の上昇に追従してフロート１２が上昇し、ベロー部１１が上方へ伸び上がる。このようにベロー部１１が上方へ伸びることによって、浴槽１内の湯はベロー部１１によって溢れることなく水位が上昇し、肩まで湯に浸かって入浴することができるのである。
【特許文献１】実開平２−１４１２８３号公報
【発明の開示】
【発明が解決しようとする課題】
【０００６】
しかし上記の図４のものにあって、既存の浴槽１に後付でベロー部１１やフロート１２を取り付けて高さ可変浴槽にする場合、浴槽１の上面にベロー部１１が付設されることになるため、ベロー部１１の縮んだ状態での厚みが浴槽１の高さに加わり、既存の浴槽１よりも、浴槽１に出入りする際の跨ぎ高さが高くなってしまうという問題があった。
【０００７】
本発明は上記の点に鑑みてなされたものであり、浴槽に出入りする際の跨ぎ高さが高くなることなく、浴槽内の水位に応じて高さを可変にして、肩まで浸かる入浴を可能にすることができる高さ可変浴槽を提供することを目的とするものである。
【課題を解決するための手段】
【０００８】
本発明の請求項１に係る高さ可変浴槽は、前面以外の各側面が浴室壁４と水密的に接している浴槽１と、浴槽１の前面側に上端が浴槽１の上方へ突出するように上下動自在に配置され、背面が浴槽１の前面と水密的に接していると共に両側端部が浴室壁４に水密的に接している可動堰２と、可動堰２に取り付けられ、浴槽１内の湯の水位に応じて上下動するフロート３とを具備して成ることを特徴とするものである。
【０００９】
この発明によれば、浴槽１の湯に浸かって水位が上がると、フロート３が追随して上昇することによって可動堰２が上昇し、この可動堰２と浴室壁４に囲まれた空間によって、湯が浴槽１外へ溢れることを防ぐことができ、水位が上昇した湯に肩まで浸かって快適に入浴することができるものである。しかも可動堰２は浴槽１の前面側に設けられているため、可動堰２は下動した状態ではその上端が浴槽１の上面より上方に突出しない位置に設けることができるものであり、浴槽１に出入りする際の跨ぎ高さを高くすることなく、既存の浴槽１に可動堰２を付設することができるものである。
【００１０】
また請求項２の発明は、請求項１において、浴槽１に設けたパッキン５によって可動堰２の背面が浴槽１の前面に水密的に接していると共に浴室壁４に設けたパッキン６によって可動堰２の両側端部が浴室壁４に水密的に接していることを特徴とするものである。
【００１１】
この発明によれば、浴槽１の前面での可動堰２による水密性をパッキン５，６で確保することができるものである。
【００１２】
また請求項３の発明は、請求項１又は２において、浴室壁４に設けたレール７によって可動堰２が上下動自在になっていることを特徴とするものである。
【００１３】
この発明によれば、レール７に沿って可動堰２をスムーズに上下動させることができるものである。
【発明の効果】
【００１４】
本発明によれば、浴槽１の湯に浸かって水位が上ると、フロート３が追随して上昇することによって可動堰２が上昇し、この可動堰２と浴室壁４に囲まれた空間によって、湯が浴槽１外へ溢れることを防ぐことができ、水位が上昇した湯に肩まで浸かって快適に入浴することが可能になるものであり、しかも可動堰２は下動した状態ではその上端が浴槽１の上面より上方に突出しない位置に設けることができ、浴槽１に出入りする際の跨ぎ高さを高くすることなく、既存の浴槽１に可動堰２を付設して、高さ可変浴槽を形成することができるものである。
【発明を実施するための最良の形態】
【００１５】
以下、本発明を実施するための最良の形態を説明する。
【００１６】
図１において１５は洗い場用床パン、１６は浴槽用床パンであり、洗い場用床パン１５と浴槽用床パン１６の端部同士を接続した状態で浴室の床面に設置してある。浴槽１は浴槽用床パン１６の上に載置して浴室内に設置されるものである。
【００１７】
浴槽１は図２に示すように、平面形状が矩形に形成してあり、上面の四周にフランジ１８が外方へ張り出して設けてある。この浴槽１は、洗い場用床パン１５の側と反対側である背面側のフランジ１８と両側面側のフランジ１８の先端がそれぞれ、浴室の三方を囲む浴室壁４に接するように設置されるものであり、浴槽１の背面側の側面及び両側の側面はそれぞれ浴室壁４に水密的に接している。この水密性は、浴槽１のフランジ１８と浴室壁４との間にシーリング剤などを充填して確保するようにしてある。
【００１８】
浴槽１の洗い場用床パン１５の側である前面側において、フランジ１８と浴槽用床パン１６の間にエプロン１９が取り付けてある。そしてこの浴槽１の前面側のフランジ１８の先端面は平面に形成してあり、フランジ１８のこの先端面からエプロン１９の前面にかけて平板状の可動堰２が配置してある。
【００１９】
可動堰２は矩形に形成されるものであり、幅寸法を浴槽１の前面側の幅寸法、すなわち浴槽１の三方を囲む浴室壁４のうち対向する浴室壁４の室内面の間の距離とほぼ同寸法に形成すると共に、高さ寸法を浴槽１の高さより小さい寸法に形成してある。この可動堰２の両側端面にはＴ字状断面のガイド溝２０が凹設してあり、図３（ｂ）に示すように、上記の対向する各浴室壁４の内面に上下方向に取り付けたＴ字状断面のレール７にこのガイド溝２０を被挿することによって、可動堰２はレール７に沿って上下動自在になっている。可動堰２は、その上端が浴槽１の上端のフランジ１８の上面と略同じ高さ位置と、浴槽１の上端より上方へ突出する位置との間で上下動されるものであり、この範囲外へは動かないようにストッパーなどで規制してある。また浴槽１の前面側のフランジ１８には全長に渡ってゴム等の弾性体からなるパッキン５が取り付けてあり、図３（ａ）に示すように、このパッキン５に可動堰２の背面が弾性的に接することによって、浴槽１の上端の前面と可動堰２の背面との間の水密性が確保されるようにしてある。さらに上記の対向する各浴室壁４の室内面にはレール７と平行にゴム等の弾性体からなるパッキン６が取り付けてあり、図３（ｂ）に示すように、このパッキン６に可動堰２の背面が弾性的に接することによって、対向する各浴室壁４の室内面と可動堰２の両側端部との間の水密性が確保されるようにしてある。可動堰２はこれらのパッキン５，６と弾接した状態で摺接しながら上下動されるものである。
【００２０】
可動堰２の幅方向の中央部の上端部には浴槽１側に水平に突出するフロート固定具２２が取り付けてあり、フロート固定具２２の先端の下方へ屈曲した屈曲片２３の下端に発泡体等の水より軽いフロート３が取り付けてある。このフロート３は、可動堰２が最も下動した状態で、浴槽１の上面開口部内において、浴槽１に張られる湯の水面Ｗｓよりも上側に位置するように配置されるものである。
【００２１】
上記のように形成される本発明の高さ可変浴槽にあって、湯は浴槽１の上部にまで張られるが、浴槽１内に湯を張った状態では、図１（ａ）のようにフロート３は湯の水面Ｗｓより上に位置している。湯の水面Ｗｓの水位高さＨｗは、例えば３８ｃｍ程度であり、また洗い場用床パン１５の上面から浴槽１のフランジ１８まで、すなわち最も下動した状態の可動堰２の上端までの、跨ぎ高さＨｃは、例えば３６ｃｍ程度である。
【００２２】
そして浴槽１に洗い場用床パン１５の側の前面側から跨いで入り、浴槽１内に座って体を湯に浸けると、体の容積によって湯の水位が上昇する。このように水位が上昇して湯の水面Ｗｓがフロート３の高さを超えて上がると、図１（ｂ）のように湯に浮かぶフロート３が水位の上昇に追随して上昇し、このフロート３の上昇に伴なって可動堰２が上動する。このように可動堰２の上端が浴槽１の上端よりも上方へ上がると、浴槽１の上側には、前面側の可動堰２と、背面側及び両側面側の浴室壁４とで囲まれた空間が形成される。そして可動堰２の背面と浴槽１の間はパッキン５で水密されていると共に可動堰２の両側端と浴室壁４の間はパッキン６で水密されており、また浴槽１と浴室壁４の間も水密されているので、浴槽１の上側に形成される空間は四周の水密性が確保されている。従って、浴槽１の湯に浸かって水位が浴槽１の上面よりも上昇しても、図１（ｂ）のように可動堰２及び浴室壁４で堰き止められて溢れ出ることがなく、水面Ｗｓは浴槽１の上方にまで上昇し、湯の水面Ｗｓの水位高さＨｗは例えば４８ｃｍ程度に上昇させることができ、肩まで湯に浸かって快適に入浴することができるものである。
【００２３】
また、入浴を終えた後、浴槽１内で立ち上がると、湯の水位は元の状態に戻って水面Ｗｓが下がるので、水位の低下に追随してフロート３は下降し、図１（ａ）のように可動堰２も下動する。このように可動堰２が下動してその上端が浴槽１の上端と略同じ高さまで下がり、跨ぎ高さを低くした状態で浴槽１から出ることができるものである。
【００２４】
上記のように、跨ぎ高さを低くするために、浴槽１の深さを浅くしても、湯に浸かったときの水位の上昇に追随して可動堰２が上動することによって、浴槽１から湯が溢れるようなことなく水位を上昇させて、肩まで浸かる入浴を行なうことが可能になるものである。また、このような可動堰２を備えた高さ可変浴槽を形成するためには、浴槽１は前面以外の三面が浴室壁４で囲まれているので、浴槽１の前面側の一面に可動堰２を設けるだけでよいものである。従って既存の浴槽１に後付けで可動堰２を取り付けて高さ可変浴槽に改造するにあたっては、パッキン５，６やレール７を浴槽１や浴室壁４に取り付けるという作業で、容易に行なうことができるものである。そして、可動堰２は浴槽１の前面側に設けて上下動されるので、可動堰２が最も下動した状態では、可動堰２の上端が浴槽１の上面より上に突出しないように配置することができるものであり、浴槽１に出入りする際の跨ぎ高さが浴槽１よりも高くなることはないものである。
【図面の簡単な説明】
【００２５】
【図１】本発明の実施の形態の一例を示すものであり、（ａ）（ｂ）はそれぞれ断面図である。
【図２】同上の平面図である。
【図３】（ａ）は図１（ｂ）のイ部の拡大図、（ｂ）は図２のロ部の拡大図である。
【図４】従来例の断面図である。
【符号の説明】
【００２６】
１  浴槽
２  可動堰
３  フロート
４  浴室壁
５  パッキン
６  パッキン
７  レール
【図１】
2008237599.tif 000003
【図２】
2008237599.tif 000004
【図３】
2008237599.tif 000005
【図４】
2008237599.tif 000006